(57)【要約】【課題】  照明時の作業性に優れると共に、照明が不要な場合であっても作業効率の低減を防ぐことが可能な照明器具を備えた電動工具を提供すること。【解決手段】  電動工具１は、胴体部２と胴体部２の後部より下方へと延設される把持部３とによって工具本体が構成されている。工具本体の胴体部２には、胴体部２の前方を照射する照明手段１０と照明手段１０を胴体部２内部に収納するための収納部２７とが設けられている。この照明手段１０は、光源となる照射部１４と、一端が照射部１４に固定され他端が胴体部２に遊動可能に取り付けられる支持部１１、１２、１３とにより構成されている。【選択図】  図１
2008119766.tif 000002
【特許請求の範囲】
【請求項１】
胴体部と該胴体部の後部より下方へと延設される把持部とを有する電動工具において、
前記胴体部には、該胴体部の前方を照明する照明手段と該照明手段を収納するための収納部とが設けられ、
該照明手段は、光源となる照射部と、一端が該照射部に取り付けられ他端が前記胴体部に遊動可能に取り付けられる支持部とを有すること
を特徴とする電動工具。
【請求項２】
前記収納部は、前記支持部を傾動させることによって前記照明手段を前記胴体部内部に収納することが可能となる凹所であること
を特徴とする請求項１に記載の電動工具。
【請求項３】
前記胴体部には、前記凹所の開放開口の開閉を行う開閉部材が設けられることを特徴とする請求項２に記載の電動工具。
【請求項４】
前記収納部は、前記照明手段を内包する箱状部材であることを特徴とする請求項１に記載の電動工具。
【請求項５】
前記支持部は、伸縮可能に構成されること
を特徴とする請求項１乃至請求項４のいずれか１項に記載の電動工具。
【請求項６】
前記照射部は、前記胴体部に対して回動自在となるように前記支持部に取り付けられることを特徴とする請求項１乃至請求項５のいずれか１項に記載の電動工具。
【請求項７】
前記胴体部における前記支持部の取り付け位置に、前記支持部の傾動方向を固定するためのガイド部が設けられること
を特徴とする請求項１乃至請求項６のいずれか１項に記載の電動工具。
【請求項８】
前記照明手段は前記胴体部の上面又は側面に設けられること
を特徴とする請求項１乃至請求項７のいずれか１項に記載の電動工具。
【発明の詳細な説明】
【技術分野】
【０００１】
本発明は、胴体部と胴体部の後部より下方へと延設される把持部とを有し、胴体部に対して照明手段が設けられる電動工具に関する。
【背景技術】
【０００２】
ハンマードリルやインパクトレンチ等の電動工具を用いる建築作業は、屋内照明等が設置される前の建物内で行われることが多い。また、屋内照明等が設置された建物の改修工事等を行う場合であっても、天井裏や軒下等のように、照明が十分に確保されていない環境において作業を行うことが多い。
【０００３】
このように十分な照明が確保できない作業現場において電動工具を使用する場合には、視界不良により作業効率の低下を招くとともに、作業精度の低減をも招くという問題があった。
【０００４】
このため、工具本体に照明装置を設けた電動工具が提案されている（例えば、特許文献１〜特許文献４参照）。
【０００５】
例えば、特許文献１に開示される電動工具は、胴体部に対して前方へと延出される棒状の支持部材を設置し、この支持部材の先端に照明器具を設けたものである。
【０００６】
また、特許文献２に開示される電動工具は、胴体部に対して前方へと延出される屈曲可能なる支持部材を設置し、この支持部材尾の先端に照明器具を設けたものである。
【０００７】
さらに、特許文献３および特許文献４に開示される電動工具は、把持部の下端部に対して前方を照らす照明器具を設けたものである。
【特許文献１】特開平５−３０９５７６公報（第２−３頁、第１図、第５）
【特許文献２】米国特許第５７９７６７０号明細書（要約、第１図）
【特許文献３】特開２００３−２１１３７４公報（第３−５頁、第４図）
【特許文献４】特開２００３−２４５８７５公報（第３−５頁、第２図、第４図）
【発明の開示】
【発明が解決しようとする課題】
【０００８】
しかしながら、特許文献１および特許文献２に開示される電動工具では、照明が十分に確保されている環境等において、照明器具が作業の邪魔になってしまうという問題があった。
【０００９】
また、照明器具を工具本体から取り外して使用する場合には、取り外し作業が繁雑であると共に、取り外した照明器具を保管する場所等を確保する必要が生じるという問題がある。
【００１０】
さらに、特許文献３および特許文献４に開示される電動工具では、照明器具が把持部の下端部に設けられているので、照明を所望の位置（例えば、ビットの先端等）に向けることが容易ではないという問題があった。
【００１１】
また、把持部を握って電動工具の作業を行うため、照明器具に手が干渉してしまって、照射光量を十分に確保することができなかったり、作業効率の低減を招いたりするおそれがあった。
【００１２】
本発明は上記問題に鑑みてなされたものであり、照明時の作業性に優れると共に、照明が不要な場合であっても作業効率の低下を防ぐことが可能な照明器具を備えた電動工具を提供することを課題とする。
【課題を解決するための手段】
【００１３】
上記課題を解決するために、本発明に係る電動工具は、胴体部と該胴体部の後部より下方へと延設される把持部とを有する電動工具において、前記胴体部には、該胴体部の前方を照明する照明手段と該照明手段を収納するための収納部とが設けられ、該照明手段は、光源となる照射部と、一端が該照射部に取り付けられ他端が前記胴体部に遊動可能に取り付けられる支持部とを有することを特徴とする。
【００１４】
また、前記収納部は、前記支持部を傾動させることによって前記照明手段を前記胴体部内部に収納することが可能となる凹所であってもよい。
【００１５】
さらに、前記胴体部には、前記凹所の開放開口の開閉を行う開閉部材が設けられるものであってもよい。
【００１６】
また、前記収納部は、前記照明手段を内包する箱状部材であってもよい。なお、この箱状部材は必ずしも矩形状のものに限定されるものではなく、内部に照明手段を内包（収納）することが可能な空間を備えた部材であって、この内部空間に照明手段を収納することによって照明手段が箱状部材より露呈してしまうことを防止することができるものであれば、どのような形状・構造のものであってもよい。
【００１７】
さらに、前記支持部は、伸縮可能に構成されるものであってもよい。
【００１８】
また、前記照射部は、前記胴体部に対して回動自在となるように前記支持部に取り付けられるものであってもよい。
【００１９】
さらに、前記胴体部における前記支持部の取り付け位置に、前記支持部の傾動方向を固定するためのガイド部が設けられるものであってもよい。
【００２０】
また、前記照明手段が、前記胴体部の上面又は側面に設けられるものであってもよい。
【発明の効果】
【００２１】
本発明に係る電動工具によれば、照明手段が、照射部と、一端が照射部に固定され他端が胴体部に遊動可能に取り付けられる支持部とにより構成されるので、照明手段の支持部を前後左右に傾動させることが可能となり、照明手段による照明光の照射範囲を所望の位置へ自由に調整することが可能となる。
【００２２】
また、電動工具は、照明部を収納するための収納部が胴体部に形成されるので、照明が不要な作業環境において照明手段を収納部に収納することによって、照明手段が作業の邪魔になることを防止し、作業効率の向上を図ることが可能となる。
【００２３】
さらに、照明手段を胴体部の収納部に収納することができるため、従来の照明器具のような照明機器の着脱負担を低減することができ、また、必要に応じて迅速かつ簡易に照明部による照明光を確保することが可能となる。
【００２４】
また、照明手段を収納部に収納することができるので、照明手段が胴体部外部に常に露出することを回避することができる。このため、電動工具の使用時や保管時に、照明手段を周囲の建築部材等にぶつけて破損してしまうことを防止することができる。
【００２５】
特に、収納部が、支持部を傾動させることによって照明手段を収納することが可能となる凹所である場合には、照明手段の着脱負担の軽減と迅速かつ簡易な照明光の確保という効果をより顕著に享受することが可能となる。
【００２６】
さらに、この凹所における開放開口の開閉を行う開閉部材が胴体部に設けられている場合には、凹所に対する塵埃の進入を防止することができる。また、開閉部材によって凹所の開放開口を閉塞することによって凹所の存在が目立たなくなり、電動工具における意匠性を向上させることが可能となる。
【００２７】
一方で、収納部が照明手段を内包する箱状部材の場合であっても、胴体部外部に照明手段が露出することを回避することができるので、電動工具の使用時や保管時に、照明手段を周囲の建築部材等にぶつけて破損してしまうことを防止することができる。また、箱状部材によって照明手段を内包することができるので、照明部材を塵埃より守ることができ、さらに、箱状部材によって照明部材が見えなくなるので、電動工具における意匠性を向上させることが可能となる。
【００２８】
さらに、支持部は伸縮可能に構成される場合には、支持部の伸縮に応じて照射部による照明光の照明位置を調整することが可能となる。また、照射部が胴体部に対して回動自在となるように支持部に取り付けられる場合には、照射光の照明位置を回動方向に容易に調整・変更することができるので、周辺部の建築部材（例えば、配管設備等）に電動工具が接触しないかどうかを容易に確認することが可能となる。
【００２９】
また、胴体部における支持部の取り付け位置に、支持部の傾動方向を固定するためのガイド部が設けられるので、照射部の照明方向が不用意に変更されてしまうことを防止することが可能となる。
【００３０】
また、照明手段が胴体部の上面または側面に設置される場合には、照明光の調整を容易に行うことができ、さらに、作業者の視線を妨げない位置に照明手段を移動・調整することが可能となる。
【発明を実施するための最良の形態】
【００３１】
以下、本発明に係る電動工具として、ハンマードリルを一例として用いる場合について説明を行う。
【００３２】
図１は、本発明に係るハンマードリル１の概略構成を示した斜視図である。ハンマードリル１は、モータ等が収納される胴体部２と、その後部より下方に延設される把持部３と、胴体部２の前部側方に対して固定されるグリップ部４とを有している。
【００３３】
胴体部２には、電動モータと、この電動モータの回転力を胴体部先端に取り付けられるビット７へと伝達する回転伝達部と、電動モータの回転力を打撃力に変換する打撃機構部とが収納されている（図示省略）。
【００３４】
また、把持部３には、電源（図示省略）へと延設される電源コード５と動作スイッチ６とが設けられており、動作スイッチ６をＯＮへ操作することによって、電源コード５を介して電源から電動モータへと電力が供給され、回転伝達部の回転力および打撃機構部の打撃力がビット７に伝達される。
【００３５】
胴体部２および把持部３は、樹脂製のケーシング部材によって筐体が形成されている。このケーシング部材は、左右対称形状をなす一対の半割ケーシングによって構成されており、モータ、回転伝達部、打撃機構部、動作スイッチ６の基部等は、半割ケーシングによって挟み込まれるようにしてケーシング部材内部に固定収納される。
【００３６】
グリップ部４は、胴体部２の前側部に固定されており、作業時に一方の手で把持部３を握り、他方の手でグリップ部４を握ることによって、作業時に回転伝達部や打撃機構部等の振動でハンマードリル１がブレてしまうことを防止することができる。
【００３７】
胴体部２の上面には、照明部（照明手段）１０が設けられている。図２は、照明部１０を示した拡大斜視図である。
【００３８】
照明部１０は、球状基部１１と、筒状基部１２と、筒状部１３と、ＬＥＤ部（照射部）１４とを有している。なお、球状基部１１と筒状基部１２と筒状部１３とは支持部としての機能を有している。
【００３９】
球状基部１１は、図３（ａ）に示すように、底面に底部開口１５が形成され、上面に帯状開口１６が形成された略球体形状を呈している。また、球状基部１１の内部には、帯状開口１６の長尺縁部１６ａに平行となる一対の支持板部１７が、互いに対向するようにして形成されており、各支持板部１７には、筒状基部１２を枢支するための軸孔（第１軸孔）１８が形成されている。
【００４０】
筒状基部１２は、図３（ｂ）に示すように、側方視で扇型を呈する一対の側壁２０と、この側壁２０の上面を形成する湾曲上面２１と、この湾曲上面２１に立設される筒部２２とによって形成されている。
【００４１】
湾曲上面２１は、球状基部１１の曲面に対応するようにして湾曲されており、上面幅Ｌ１は帯状開口１６の短尺幅Ｌ２よりも僅かに幅広であって、支持板部１７の間隔Ｒ１よりも僅かに幅狭となるように規定されている。湾曲上面２１の中央部には開口２１ａが形成されており、筒部２２はこの開口２１ａに連通するようにして立設されている。
【００４２】
側壁２０には、支持板部１７の第１軸孔１８に対応する位置に軸孔（第２軸孔）２３が形成されている。湾曲上面２１上面幅Ｌ１が支持板部１７の間隔Ｒ１よりも僅かに幅狭となるように規定されているので、側壁２０の間隔Ｒ２は支持板部１７の間隔Ｒ１よりも僅かに幅狭となっている。
【００４３】
筒部２２は、円筒状を呈しており、この筒部２２における上端部２２ａの周縁は僅かに内側へと曲げられており、端部内径が幅狭となるように加工されている。
【００４４】
筒状部１３は、図４、図５に示すように、筒状基部１２の筒部２２に嵌入可能な円筒状構造となっている。筒状部１３の下端部１３ａにおける周縁は僅かに外側へと広げられており、端部外径が僅かに幅広となるように加工されている。
【００４５】
筒状部１３は、筒部２２に嵌入可能な構造となっており、筒部２２に対して筒状部１３を進退動させることが可能となっている。また、筒状部１３を筒部２２の端部まで引き出した場合には、筒部２２の端部内径が幅狭となるように加工され、筒状部１３の端部外径が僅かに幅広となるように加工されているので、筒状部１３の下端部１３ａが筒部２２の上端部２２ａに係合され、筒状部１３が筒部２２から抜け落ちてしまうことを防止する構造となっている。
【００４６】
また、筒部２２および筒状部１３は、円筒状に形成されているので、筒状部１３を筒部２２に対して自由に回転させることが可能となっている。
【００４７】
ＬＥＤ部１４は、筒状部１３の上端部に設けられている。ＬＥＤ部１４は、矩形の箱体１４ａと、この箱体１４ａ内部に設けられるＬＥＤ１４ｂと、ＬＥＤ１４ｂに接続されるコード部１４ｃとによって形成されている。ＬＥＤ１４ｂは箱体１４ａの一側方より光を発することができるようにして箱体１４ａに固定されている。また、箱体１４ａは、筒状部１３の上端部に固定される。
【００４８】
コード部１４ｃは、筒状部１３および筒部２２を介してハンマードリル１の胴体部２内部へと延設されており、その端部は、図示を省略する電動モータの駆動源（電源コード）へと接続されている。ＬＥＤ１４ｂは、この駆動源より電力を取得することによって点灯することが可能な構造となっている。
【００４９】
照明部１０は、図４、図５に示すように、球状基部１１の底部開口１５より筒部２２が帯状開口１６から突出するようにして、筒状基部１２を球状基部１１に内設させ、さらに底部開口１５側より筒部２２を筒状部１３に嵌入させてから、筒状部１３にＬＥＤ部１４を固定してコード部１４ｃを筒状部１３・筒状基部１２を介して球状基部１１へと導くことによって構成される。そして、第１軸孔１８と第２軸孔２３とに対して軸部２５を挿通させることによって、筒状基部１２を帯状開口１６の長尺方向へと傾動させることが可能となる。
【００５０】
この照明部１０が設置される胴体部２の上面には、照明部１０を収納するための凹所２７が形成されている。凹所２７は、図２に示すように鍵穴状に形成されており、凹所の円形部分２８には、照明部１０を設置するための開口２９が設けられている。この開口２９の縁内面は、図４、図５に示すように、球状基部１１の湾曲面に対応する曲率によって構成される湾曲当接面３０が形成されており、さらに、開口２９の周縁３１には、図２に示すように凹凸が形成されている。
【００５１】
また、凹所２７の矩形状部３２の長尺長Ｌ３は、筒状基部１２の筒部２２の長さよりも僅かに長く規定されており、短尺長は、筒部２２の筒径よりも僅かに幅広に規定されている。
【００５２】
照明部１０を胴体部２に設置する場合には、図４、図５に示すように、凹所２７の円形部分２８に形成された開口２９よりＬＥＤ部１４・筒状部１３・筒部２２が露出するようにして球状基部１１を開口２９の湾曲当接面３０に挟持させ、湾曲当接面３０と球状基部１１とを摺動可能な状態にする。
【００５３】
このとき、照明部１０は、球状基部１１の帯状開口１６の長尺方向と凹所２７の矩形状部３２の長尺方向とが一直線状となるようにして、胴体部２（凹所２７の円形部分２８）に設置される。
【００５４】
このようにして照明部１０が胴体部２に設置されると、照明部１０の球状基部１１が湾曲当接面３０に対して摺動可能な状態となるため、図４、図５に矢印Ａ、矢印Ｂで示すように、照明部１０の筒状部１３および筒部２２を前後左右に傾動させることが可能となる。
【００５５】
また、筒状部１３は、筒部２２に対して自由に回転させることが可能な構造となっているので、筒状部１３の上端に設置されるＬＥＤ部１４における照明光の照射角度を胴体部２に対して３６０度調整することが可能となる。このため、ＬＥＤ部１４の照明角度を容易に調整・変更することができ、周辺に位置する配管設備等の建築部材に電動工具やその先端（ビット等）等が接触しないかどうかを容易に確認することができる。
【００５６】
さらに、筒部２２に対して筒状部１３が進退可能に取り付けられているので、筒部２２に対する筒状部１３の引き出し量に応じてＬＥＤ部１４の照射位置の高さを調整することが可能である。
【００５７】
このような構成により照明部１０を胴体部２に設置することによって、照明部１０の筒状部１３および筒部２２を胴体部２に対して遊動させることが可能となり、また、ＬＥＤ部１４による照明光の照射角度および照射位置の高さを自由に調整できるので、ＬＥＤ部１４の照明光を所望の方向、具体的には、工具先端に取り付けられるビット７方向に調整することが可能となる。
【００５８】
さらに、開口２９の周縁３１には凹凸が形成されており、筒部２２をこの凹部に係止させることによって開口２９の周縁３１が筒部２２の傾動角度を固定するガイド部としての役割を果たすので、ＬＥＤ部１４における照明光の照明方向が不用意に変更されてしまう（ずれてしまう）ことを防止することが可能となる。
【００５９】
また、照明部１０は、帯状開口１６の長尺方向と凹所２７の矩形状部３２の長尺方向とが一直線状になるようにして胴体部２（凹所２７の円形部分）に設置されるので、筒状部１３を筒部２２に収納させてから筒部２２を帯状開口１６に沿って倒し込むことにより、照明部１０の筒部２２・筒状部１３およびＬＥＤ部１４を、胴体部２の凹所２７に収納することが可能となる。
【００６０】
このように照明部１０を凹所２７に収納することによって、ＬＥＤ部１４の照明光が不要となる環境（照明が十分に確保される場所や、太陽光等を確保することが可能な場所等）においてハンマードリル１を使用する場合であっても、照明部１０が作業の邪魔となることがなく、作業を効率よく行うことが可能となる。
【００６１】
さらに、筒部２２・筒状部１３およびＬＥＤ部１４を、胴体部２の凹所２７に倒し込むことによって照明部１０を収納することができるため、従来の照明器具を備える電動工具に比べて照明部の着脱負担を軽減することができ、また、必要に応じて迅速かつ簡易に照明光を確保することが可能となる。
【００６２】
また、照明部１０を凹所２７に収納することができるので、照明部１０が胴体部外部に常に露出してしまうことを回避することができる。このため、電動工具の使用時や保管時に、照明部１０を周囲の建築部材等にぶつけて破損させてしまうことを防止することができる。
【００６３】
さらに、照明部１０が胴体部２の上面に設置されるため、把持部３等に照明機器が設置される電動工具に比べて照明光の照明方向をビット７先端へ容易に調整することが可能となる。また、照明部１０の筒状部１３および筒部２２に対する傾動角度・傾動方向の調節自由度が高いため、作業者の視線を妨げない位置にＬＥＤ部１４の光源を移動することが容易となる。
【００６４】
以上説明したように、本発明に係る電動工具では、照明部１０の筒状部１３および筒部２２を前後左右に傾動させることが可能であり、さらに、筒状部１３を筒部２２に対して自由に回転させることができるので、ＬＥＤ部１４による照明光の照明範囲を所望の方向へ自由に調整することが可能となる。
【００６５】
さらに、筒部２２に対して筒状部１３が進退可能に取り付けられているので、ＬＥＤ部１４の照射位置の高さを調整することが可能である。
【００６６】
また、筒状部１３が、筒部２２に対して自由に回転させることが可能な構造となっているので、筒状部１３の上端に設置されるＬＥＤ部１４における照明光の照射角度を胴体部に対して３６０度調整することが可能となる。このため、ＬＥＤ部１４の照明角度を容易に調整・変更することができ、周辺に位置する配管設備等の建築部材に電動工具およびその先端等が接触しないかどうかを容易に確認することができる。
【００６７】
さらに、開口２９の周縁３１が筒部２２の傾動角度を固定するガイド部としての役割を果たすので、ＬＥＤ部１４の照明光の照明方向が不用意に変更されてしまうことを防止することが可能となる。
【００６８】
また、照明部１０の筒部２２・筒状部１３およびＬＥＤ部１４を、胴体部２の凹所２７に収納することが可能であるため、ＬＥＤ部１４による照明が不要な環境においては、照明部１０を収納することによって照明部１０が作業の邪魔となることを防止でき、作業効率の向上を図ることが可能となる。
【００６９】
さらに、照明部１０を胴体部２の凹所２７に収納することができるため、従来の照明器具に比べて電動工具から照明部を着脱する負担が軽減されると共に、必要に応じて迅速かつ簡易に照明光を確保することが可能となる。
【００７０】
また、照明部１０を凹所２７に収納することができるので、照明部１０が胴体部外部に常に露出してしまうことを回避することができる。このため、電動工具の使用時や保管時に、照明部１０を周囲の建築部材等にぶつけて破損させてしまうことを防止することができる。
【００７１】
さらに、照明部１０が胴体部２の前部上面に設置されるため、照明部１０の収納・引き出し等の操作・調整が容易であり、さらに、筒状部１３および筒部２２の調節自由度が高いため、作業者の視線を妨げない位置にＬＥＤ部１４を調節することが容易となる。
【００７２】
以上、ハンマードリル１を一例として用いて、本発明に係る電動工具を詳細に説明したが、本発明に係る電動工具は上述した実施形態に限定されるものではない。いわゆる当業者であれば、特許請求の範囲に記載された範疇内において各種の変更例または修正例に想到し得ることは明らかであり、それらについても当然に本発明の技術的範囲に属するものと了解される。
【００７３】
例えば、上述した実施形態では、収納部として形成された凹所２７に照明部１０を収納する構成を説明したが、この凹所２７の開放開口の開閉を行うスライド式のシャッター部材（開閉部材）を胴体部２に設けてもよい。図６（ａ）は、凹所２７の開放開口３３の開閉を行うためのシャッター部材３４が設けられたハンマードリル１を示している。シャッター部材３４は、シャッター部材３４の胴体３４ａを胴体部内部３５に収納することによって、工具の前後方向にスライドすることが可能な構造となっている。このため、シャッター部材３４の端部に設けられる突起部３４ｂをつかんでシャッター部材３４を工具前後方向へとスライドさせることによって、凹所２７に収納された照明部１０の開放開口３３を開放又は閉塞することが可能となる。
【００７４】
このように凹所２７における開放開口の開閉を行うシャッター部材３４を、胴体部２に設けることによって、凹所２７に対する塵埃の進入を防止することができ、また、シャッター部材３４で凹所２７の開放開口３３を閉塞することによって凹所２７の存在を目立たなくすることができ、ハンマードリル１の意匠性を向上させることが可能となる。
【００７５】
なお、シャッター部材３４の開閉のために突起部３４ｂを設けるのではなく、図６（ｂ）に示すように、先端にへこませた凹部３４ｃを形成し、この凹部に指をかけてシャッター部材を開閉する構成としてもよい。
【００７６】
また、上記実施形態においては、照明部１０を凹所２７に収納する方法について説明を行ったが、照明部１０を収納する収納部は必ずしも胴体部２に形成される凹所２７のみに限定されるものではない。
【００７７】
例えば、図７に示すように、照明部１０を胴体部２の上面に凹所２７を形成することなく設置し、照明部１０を内包する箱状部材３６を胴体部２の上面に対して起伏動可能に設ける構造とすることも可能である。
【００７８】
このように、凹所２７を設けることなく照明部１０を胴体部２の上面に設けた場合には、照明部１０が胴体部から常に露出した状態となるため、照明部１０を使用していない場合であっても、照明部１０を建築部材等に接触させて破損させる可能性が高くなってしまう。このため、照明部１０を内包する箱状部材３６を胴体部２の上面に設け、照明部１０を使用しない場合には箱状部材３６で照明部１０を内包（カバー、被覆）させることによって、照明部１０を外部の接触等から保護することが可能となり、照明部１０の接触等を防止することが可能となる。
【００７９】
また、箱状部材３６によって照明部１０を内包することができるので、照明部１０を塵埃より守ることができ、さらに、箱状部材３６によって外から照明部１０が見えなくなるので、ハンマードリル１の意匠性を高めることが可能となる。
【００８０】
なお、この箱状部材は、図７に示すような矩形状のものに限定されるものではなく、内部に照明部１０を内包（収納）することが可能な空間を備えた部材であって、この内部空間に照明部１０を収納することによって照明部１０が箱状部材３６より露呈してしまうことを防止することができるものであれば、どのような形状・構造のものであってもよい。
【００８１】
さらに、上述した実施形態では、照明部１０が胴体部２の上面に設置された例を示して説明を行ったが、照明部１０の設置位置は胴体部２の上面のみに限定されるものではなく、胴体部２の側面部等に設置されるものであってもよい。胴体部２の側面に照明部１０が設置される場合であっても、上面に設置される場合と同様に、把持部３に照明を設ける場合に比べて筒状部１３および筒部２２の調節自由度を高めることができ、作業者の視線を妨げない位置にＬＥＤ部１４を調節することが可能となる。
【００８２】
また、本実施形態では、照明部１０を胴体部２に形成された凹所２７に収納する構成を説明したが、胴体部２に対する照明部１０の収納方法はこのような凹所２７への収納に限定されるものではなく、例えば筒状部１３および筒部２２を胴体部２内部へと押し込むようにして収納する構造等であってもよい。
【００８３】
さらに、本実施形態においては、電動工具としてハンマードリルを例に用いて説明を行ったが、本発明に係る電動工具はハンマードリルに限定されるものではなく、インパクトレンチ、振動ドリル、鉄筋結束機等の電動工具であってもよく、また、空圧釘打機、空圧インパクトドライバ等の空圧工具であってもよい。これらの工具へ本発明に係る照明部を設けることによって、本実施形態において示した効果と同様の効果を奏することが可能となる。
【図面の簡単な説明】
【００８４】
【図１】実施形態に係るハンマードリル示した斜視図である。
【図２】実施形態に係る照明部を示した斜視図である。
【図３】（ａ）は実施形態に係る球状基部を示した斜視図であり、（ｂ）は実施形態に係る筒状基部を示した斜視図である。
【図４】図２におけるＡ−Ａ断面を示した断面図である。
【図５】図２におけるＢ−Ｂ断面を示した断面図である。
【図６】図１に示すハンマードリルの胴体部に、凹所の開放開口を開閉するシャッター部材が設けられる様子を示したハンマードリルの斜視図であって、（ａ）はシャッター部材の先端に突起部が設けられた図であり、（ｂ）は先端に凹部が設けられた図である。
【図７】ハンマードリルの胴体部に、照明部を内包する箱状部材が設けられる様子を示したハンマードリルの斜視図である。
【符号の説明】
【００８５】
１     …ハンマードリル（電動工具）
２     …胴体部
３     …把持部
４     …グリップ部
５     …電源コード
６     …動作スイッチ
７     …ビット
１０   …照明部（照明手段）
１１   …（照明部の）球状基部（支持部）
１２   …（照明部の）筒状基部（支持部）
１３   …（照明部の）筒状部（支持部）
１３ａ  …（筒状部の）下端部
１４   …（照明部の）ＬＥＤ部（照射部）
１４ａ  …（ＬＥＤ部の）箱体
１４ｂ   …（ＬＥＤ部の）ＬＥＤ
１４ｃ  …（ＬＥＤ部の）コード部
１５   …（球状基部の）底部開口
１６   …（球状基部の）帯状開口
１６ａ  …（帯状開口の）長尺縁部
１７   …（球状基部の）支持板部
１８   …（支持板部の）軸孔
２０   …（筒状基部の）側壁
２１   …（筒状基部の）湾曲上面
２１ａ  …（湾曲上面の）開口
２２   …（筒状基部の）筒部
２２ａ  …（筒部の）上端部
２３   …（側壁の）軸孔
２５   …軸部
２７   …凹所（収納部）
２８   …（凹所の）円形部分
２９   …（凹所の円形部分の）開口
３０   …（開口の縁内面の）湾曲当接面
３１   …（開口の）周縁（ガイド部）
３２   …（凹所の）矩形状部
３３   …開放開口
３４   …シャッター部材
３４ａ  …（シャッター部材の）胴体
３４ｂ  …（シャッター部材の）突起部
３４ｃ  …（シャッター部材の）凹部
３５   …胴体部内部
３６   …箱状部材
Ｌ１   …（湾曲正面の）上面幅
Ｌ２   …（帯状開口の）短尺幅
Ｌ３   …（凹所の矩形状部の）長尺長
Ｒ１   …（支持板部の）間隔
Ｒ２   …（側壁の）間隔
【図１】
2008119766.tif 000003
【図２】
2008119766.tif 000004
【図３】
2008119766.tif 000005
【図４】
2008119766.tif 000006
【図５】
2008119766.tif 000007
【図６】
2008119766.tif 000008
【図７】
2008119766.tif 000009